(57)【特許請求の範囲】
【請求項１】
週次の学習指導計画である週案作成を選択させる週案作成タブと、学力テストの得点入力を選択させる得点入力タブと、通知表への評価入力を選択させる通知表作成タブとを表示するメイン画面を表示装置上に表示するメイン画面表示部と、
前記週案作成タブが選択されると、作成済みの週案のうち当該週又は当該日の箇所を前記メイン画面に表示する週案表示部と、
前記得点入力タブが選択されると、前記学力テストの得点分布上出現し得る得点のそれぞれを１つのキーに割り当てた得点入力キーを得点入力画面上に配列表示すると共に、入力された得点を集計する成績集計部と、
第１の記憶装置に通知表書式を格納する通知表書式記憶部と、
前記通知表作成タブが選択されると、前記第１の記憶装置から前記通知表書式を読み出して表示装置上に表示し、表示された評価記号又は評価文章から対象児童の単元別評価項目に対する学習指導達成度に相当する表記号又は評価文章を選択入力させることにより、前記対象児童への通知表を作成する通知表作成部とを具備し、
前記通知表書式は、通知表標準書式中に記述される単元別評価項目の学習指導達成度を示す評価記号のそれぞれに対応して、予め登録された変更権限を有するユーザにのみ、該評価記号と同等の評価を示すシノニム評価記号又はシノニム評価文章を編集入力させ、前記通知表標準書式中の評価記号を編集入力されたシノニム評価記号又はシノニム評価文章に置換えて得られる通知表書式である
ことを特徴とする学習指導支援装置。
【請求項２】
前記通知表書式は、さらに、
通知表標準書式中に記述される科目ごとの学習指導達成度を示す評定記号のそれぞれに対応して、予め登録された変更権限を有するユーザにのみ、該評定記号と同等の評価を示すシノニム評定記号又はシノニム評定文章を編集入力させ、前記通知表標準書式中の評定記号を編集入力されたシノニム評定記号又はシノニム評定文章に置き換えて得られる通知表書式である
ことを特徴とする請求項１に記載の学習指導支援装置。
【請求項３】
メイン画面表示部と、週案表示部と、成績集計部と、通知表書式記憶部と、通知表作成部とを備える学習指導支援装置が実行する学習指導支援方法であって、
前記メイン画面表示部が、週次の学習指導計画である週案作成を選択させる週案作成タブと、学力テストの得点入力を選択させる得点入力タブと、通知表への評価入力を選択させる通知表作成タブとを表示するメイン画面を表示装置上に表示するステップと、
前記週案表示部が、前記週案作成タブが選択されると、作成済みの週案のうち当該週又は当該日の箇所を前記メイン画面に表示するステップと、
前記成績集計部が、前記得点入力タブが選択されると、前記学力テストの得点分布上出現し得る得点のそれぞれを１つのキーに割り当てた得点入力キーを得点入力画面上に配列表示すると共に、入力された得点を集計するステップと、
前記通知表書式記憶部が、第１の記憶装置に通知表書式を格納するステップと、
前記通知表作成部が、前記通知表作成タブが選択されると、前記第１の記憶装置から前記通知表書式を読み出して表示装置上に表示し、表示された評価記号又は評価文章から対象児童の単元別評価項目に対する学習指導達成度に相当する表記号又は評価文章を選択入力させることにより、前記対象児童への通知表を作成するステップとを含み、
前記通知表書式は、通知表標準書式中に記述される単元別評価項目の学習指導達成度を示す評価記号のそれぞれに対応して、予め登録された変更権限を有するユーザにのみ、該評価記号と同等の評価を示すシノニム評価記号又はシノニム評価文章を編集入力させ、前記通知表標準書式中の評価記号を編集入力されたシノニム評価記号又はシノニム評価文章に置換えて得られる通知表書式である
ことを特徴とする学習指導支援方法。
【請求項４】
学習指導支援処理をコンピュータに実行させるためのプログラムであって、該プログラムは、前記コンピュータに、
週次の学習指導計画である週案作成を選択させる週案作成タブと、学力テストの得点入力を選択させる得点入力タブと、通知表への評価入力を選択させる通知表作成タブとを表示するメイン画面を表示装置上に表示するメイン画面表示処理と、
前記週案作成タブが選択されると、作成済みの週案のうち当該週又は当該日の箇所を前記メイン画面に表示する週案表示処理と、
前記得点入力タブが選択されると、前記学力テストの得点分布上出現し得る得点のそれぞれを１つのキーに割り当てた得点入力キーを得点入力画面上に配列表示すると共に、入力された得点を集計する成績集計処理と、
第１の記憶装置に通知表書式を格納する通知表書式記憶処理と、
前記通知表作成タブが選択されると、前記第１の記憶装置から前記通知表書式を読み出して表示装置上に表示し、表示された評価記号又は評価文章から対象児童の単元別評価項目に対する学習指導達成度に相当する表記号又は評価文章を選択入力させることにより、前記対象児童への通知表を作成する通知表作成処理とを含む処理を実行させるためのものであり、
前記通知表書式は、通知表標準書式中に記述される単元別評価項目の学習指導達成度を示す評価記号のそれぞれに対応して、予め登録された変更権限を有するユーザにのみ、該評価記号と同等の評価を示すシノニム評価記号又はシノニム評価文章を編集入力させ、前記通知表標準書式中の評価記号を編集入力されたシノニム評価記号又はシノニム評価文章に置換えて得られる通知表書式である
ことを特徴とするプログラム。
【発明の詳細な説明】
【技術分野】
【０００１】
本発明は、学習指導支援装置、その方法及び学習指導支援プログラムに関する。より詳細には、例えば小中学校等の教育機関で教師が行うコンピュータを利用した学習指導において、教師の学習指導計画立案、授業及びテスト実施、履修・成績管理、及び通知表作成等の一連の校務工程をコンピュータ上で一元的に管理可能とするための技術に関する。
【背景技術】
【０００２】
小中学校等の教育機関において、教師は、授業実施に先立ち、予め学習指導用の授業計画を自ら立案作成する。この学習指導要の授業計画は、通常、年度ごと定められた時間割に基づき週次の各曜日内の各授業スロットに学習単元を割り当てることにより立案でき、このため「週案」と通称される。この週案に基づき、児童に対して授業を実施し、この授業により児童が習得した学力到達度を単元修了時や学期末、年度末に評価するための学力テストを実施する。この学力テストの採点結果は、集計され、児童の学習成績分析に供され、学期末及び年度末に各児童の学習成績に対する評価を児童及び保護者に通知する通知表の基礎データとなる。通知表には、同時に、児童の授業中の発言、学習態度等に基づく定性的評価も記載される。
【０００３】
ところで、文部科学省が告示する、小中学校等の教育機関向け学習指導要領は、国語、算数、理科、社会等の教科別に、学習単元を定めており、この学習単元ごとに、学習到達目標及び複数の観点別評価規準が規定されている。このため、学力テストは、学習単元ごとに規定された観点別評価規準に対する達成度を測定するよう設計され、通知表に記載されるべき児童ごとの学習成績の評価も、この学習単元ごとに付与される。
【０００４】
この通知表に記載されるべき児童ごとの学習成績の評価の手法は、文部科学省が告示する学習指導要領が改訂されたことに伴い、従前の、全児童の成績分布上の位置、すなわち成績順位として把握できる相対評価ではなく、事前に学習指導要領や週案上に設定された学習到達目標に対する個別の児童の学習達成度を評価規準ごとに絶対評価する絶対評価であることが要請される。例えばクラス内テスト得点順位から比較的容易に把握可能な相対評価と異なり、この絶対評価が求められるようになったことは、学習指導に当たる教師にとって、児童ごとの学習成績の客観的評価をより困難かつ負荷の高い作業としている。
【先行技術文献】
【特許文献】
【０００５】
【特許文献１】特開２００３−２９５７５３号公報
【発明の概要】
【発明が解決しようとする課題】
【０００６】
ところで、小中学校等の教育機関において、教師の学習指導を支援するためのコンピュータを利用した各種ツールが公知である。典型的には、単元別に設定された観点別評価規準ごとに学力テストの得点を児童ごとに入力、集計し、この集計値に基づいた児童の学習成績に関する定量的評価を出力するソフトウエアや、標準書式の通知表フォームに対して児童ごとの学力テストの得点集計値や出欠記録、授業外行動の記録等を入力することにより、児童ごとに通知表を作成出力するソフトウエア等が知られている。
【０００７】
例えば、特許文献１は、到達目標データとこれに単元別に対応した評価規準データ及び評価方法データからなる指導データファイル、学習者名簿ファイル、学習者別の評価データ及び得点データを記憶装置に蓄積した評価データファイルを参照して、所定の表形式による単元到達目標別評価入力画面を提供する技術を開示する。
【０００８】
しかしながら、個別のツールが提供されても、教師が入力しなければならないデータ項目は多数の校務工程においてそれぞれ多岐に亘り、それぞれの工程で重複したデータ入力を要し、またそれぞれのツールが独自のデータ形式やインターフェースを規定しているため、コンピュータ内での相互リンクを実現することが困難であった。
【０００９】
とりわけ、絶対評価の導入に伴い、学習指導に関わる教師の作業負荷は増大しており、学習指導ツールへの入力負荷の軽減が一層要請されている。しかしながら、現実には、使用ツールが増えるに従い、担任する全児童についてのあらゆるデータを重複入力する負荷は逆に高まっている。
【００１０】
そもそも、教育機関においては、学習指導を行う教師自身が担当する児童に関するあらゆるデータを一人で入力管理しなければならない。このため、各児童の評価に直結するデータの入力においては、入力ミスは致命的であり、児童の誤った評価をもたらすため、極力これを排除しなければならないにも拘わらず、データ入力の作業負荷が高いためデータ入力ミスが避け難く、また入力されたデータが正しいか否かを他者が検証するダブルチェックも、入力データが児童の個人情報を構成する事情に照らせば、教育現場においては期待し難い。他方、入力データの有効性チェックをツール内部で行おうとすると、既存のツールをカスタマイズしてプログラムを改変しなければならずプログラム開発外部委託等の新たな作業負荷が発生する。
【００１１】
また、児童の学習成績の学期ごと、年度ごとの評価を示す通知表は、評価規準及び評価項目の内容自体は、文部科学省告示の学習指導要領に準拠しなければならないものの、評価規準ごと付与される評価項目・評価記号や、科目ごと付与される評定項目・評定記号は、学区ごと或いは学校ごとに定めることができ、実際に学校ごと区々である。例えば、「１」、「２」、「３」や、「Ａ」、「Ｂ」、「Ｃ」など評価をより直接的に示す評価記号より、児童の学習意欲を削がないようとの配慮から、より間接的な評価記号が好ましいとする学校もある。
【００１２】
しかしながら、このような通知表書式の改変を行うためには、既存のツールの使用をあきらめ独自の書式を新規作成するか、既存のツールをカスタマイズしてプログラムを一部改変しなければならず、通知表作成に係る作業負荷が却って増大することとなる。
【００１３】
本発明は、上記課題に鑑みてされたものであり、その目的は、例えば小中学校等の教育機関で教師が行う、コンピュータを利用した学習指導において、授業計画作成から通知表作成までの一連の校務サイクルを通じ、入力チェックを不要としながら教師自身のデータ入力の誤りを自動的に排除しつつ、データ入力及び管理、出力における効率を向上することが可能な学習指導支援装置、その方法及び学習指導支援プログラムを提供する点にある。
【００１４】
本発明の他の目的は、学区ごと或いは学校ごと区々である、各児童の学習成績の評価を通知する通知表書式の改変を、簡易な操作かつ僅かな作業負荷で実現する点にある。
【課題を解決するための手段】
【００１５】
本発明のある特徴によれば、週次の学習指導計画である週案作成を選択させる週案作成タブと、学力テストの得点入力を選択させる得点入力タブと、通知表への評価入力を選択させる通知表作成タブとを表示するメイン画面を表示装置上に表示するメイン画面表示部と、前記週案作成タブが選択されると、作成済みの週案のうち当該週又は当該日の箇所を前記メイン画面に表示する週案表示部と、前記得点入力タブが選択されると、前記学力テストの得点分布上出現し得る得点のそれぞれを１つのキーに割り当てた得点入力キーを得点入力画面上に配列表示すると共に、入力された得点を集計する成績集計部と、第１の記憶装置に通知表書式を格納する通知表書式記憶部と、前記通知表作成タブが選択されると、前記第１の記憶装置から前記通知表書式を読み出して表示装置上に表示し、表示された評価記号又は評価文章から対象児童の単元別評価項目に対する学習指導達成度に相当する表記号又は評価文章を選択入力させることにより、前記対象児童への通知表を作成する通知表作成部とを具備し、前記通知表書式は、通知表標準書式中に記述される単元別評価項目の学習指導達成度を示す評価記号のそれぞれに対応して、予め登録された変更権限を有するユーザにのみ、該評価記号と同等の評価を示すシノニム評価記号又はシノニム評価文章を編集入力させ、前記通知表標準書式中の評価記号を編集入力されたシノニム評価記号又はシノニム評価文章に置換えて得られる通知表書式であることを特徴とする学習指導支援装置が提供される。
【００１６】
前記通知表書式は、さらに、通知表標準書式中に記述される科目ごとの学習指導達成度を示す評定記号のそれぞれに対応して、予め登録された変更権限を有するユーザにのみ、該評定記号と同等の評価を示すシノニム評定記号又はシノニム評定文章を編集入力させ、前記通知表標準書式中の評定記号を編集入力されたシノニム評定記号又はシノニム評定文章に置き換えて得られる通知表書式であってよい。
【００１７】
本発明の他の特徴によれば、メイン画面表示部と、週案表示部と、成績集計部と、通知表書式記憶部と、通知表作成部とを備える学習指導支援装置が実行する学習指導支援方法であって、前記メイン画面表示部が、週次の学習指導計画である週案作成を選択させる週案作成タブと、学力テストの得点入力を選択させる得点入力タブと、通知表への評価入力を選択させる通知表作成タブとを表示するメイン画面を表示装置上に表示するステップと、前記週案表示部が、前記週案作成タブが選択されると、作成済みの週案のうち当該週又は当該日の箇所を前記メイン画面に表示するステップと、前記成績集計部が、前記得点入力タブが選択されると、前記学力テストの得点分布上出現し得る得点のそれぞれを１つのキーに割り当てた得点入力キーを得点入力画面上に配列表示すると共に、入力された得点を集計するステップと、前記通知表書式記憶部が、第１の記憶装置に通知表書式を格納するステップと、前記通知表作成部が、前記通知表作成タブが選択されると、前記第１の記憶装置から前記通知表書式を読み出して表示装置上に表示し、表示された評価記号又は評価文章から対象児童の単元別評価項目に対する学習指導達成度に相当する表記号又は評価文章を選択入力させることにより、前記対象児童への通知表を作成するステップとを含み、  前記通知表書式は、通知表標準書式中に記述される単元別評価項目の学習指導達成度を示す評価記号のそれぞれに対応して、予め登録された変更権限を有するユーザにのみ、該評価記号と同等の評価を示すシノニム評価記号又はシノニム評価文章を編集入力させ、前記通知表標準書式中の評価記号を編集入力されたシノニム評価記号又はシノニム評価文章に置換えて得られる通知表書式であることを特徴とする学習指導支援方法が提供される。
【００１８】
本発明の他の特徴によれば、学習指導支援処理をコンピュータに実行させるためのプログラムであって、該プログラムは、前記コンピュータに、週次の学習指導計画である週案作成を選択させる週案作成タブと、学力テストの得点入力を選択させる得点入力タブと、通知表への評価入力を選択させる通知表作成タブとを表示するメイン画面を表示装置上に表示するメイン画面表示処理と、
前記週案作成タブが選択されると、作成済みの週案のうち当該週又は当該日の箇所を前記メイン画面に表示する週案表示処理と、前記得点入力タブが選択されると、前記学力テストの得点分布上出現し得る得点のそれぞれを１つのキーに割り当てた得点入力キーを得点入力画面上に配列表示すると共に、入力された得点を集計する成績集計処理と、第１の記憶装置に通知表書式を格納する通知表書式記憶処理と、前記通知表作成タブが選択されると、前記第１の記憶装置から前記通知表書式を読み出して表示装置上に表示し、表示された評価記号又は評価文章から対象児童の単元別評価項目に対する学習指導達成度に相当する表記号又は評価文章を選択入力させることにより、前記対象児童への通知表を作成する通知表作成処理とを含む処理を実行させるためのものであり、前記通知表書式は、通知表標準書式中に記述される単元別評価項目の学習指導達成度を示す評価記号のそれぞれに対応して、予め登録された変更権限を有するユーザにのみ、該評価記号と同等の評価を示すシノニム評価記号又はシノニム評価文章を編集入力させ、前記通知表標準書式中の評価記号を編集入力されたシノニム評価記号又はシノニム評価文章に置換えて得られる通知表書式であることを特徴とするプログラムが提供される。
【発明の効果】
【００１９】
本発明によれば、例えば小中学校等の教育機関で教師が行う、コンピュータを利用した学習指導において、授業計画作成から通知表作成までの一連の校務サイクルを通じ、入力チェックを不要としながら教師自身のデータ入力の誤りを自動的に排除しつつ、データ入力及び管理、出力における効率を向上することが可能となる。
【００２０】
また、学区ごと或いは学校ごと区々である、各児童の学習成績の評価を通知する通知表書式の改変が、簡易な操作かつ僅かな作業負荷で実現される。
【００２１】
従って、本発明に係る学習指導支援装置、その方法及び学習指導支援プログラムによれば、一連の校務サイクルにおける教師の作業効率が格段に向上する。
【図面の簡単な説明】
【００２２】
【図１】本発明の一実施形態に係る学習指導支援装置が実行する学習指導支援処理の一例を示す概略処理フローチャートである。
【図２】本発明の一実施形態に係る学習指導支援装置を含む構内ネットワークの一例を示すネットワーク構成図である。
【図３】本発明の一実施形態に係る学習指導計画データ１２の一部を一例として示す模式図である。
【図４】担任教師が操作する学習指導支援装置ＰＣ２及び／又は教務主任教師が操作する学習指導支援装置ＰＣ３の表示装置上に表示される初期メニュー画面の一例を示す図である。
【図５】担任教師が操作する学習指導支援装置ＰＣ２及び／又は教務主任教師が操作する学習指導支援装置ＰＣ３の表示装置上に表示される学期設定画面の一例を示す図である。
【図６】担任教師が操作する学習指導支援装置ＰＣ２及び／又は教務主任教師が操作する学習指導支援装置ＰＣ３の表示装置上に表示される時間割設定画面の一例を示す図である。
【図７】図６の時間割設定画面において科目を登録するＧＵＩの一例を示す図である。
【図８】図６の時間割設定画面における時間割登録操作中の表示画面の一例を示す図である。
【図９】図８の時間割設定画面において年間の標準時数が入力された状態の一例を示す図である。
【図１０】図６の時間割設定画面を介して実行された時間割登録操作完了時の表示画面の一例を示す図である。
【図１１】担任教師が操作する学習指導支援装置ＰＣ２及び／又は教務主任教師が操作する学習指導支援装置ＰＣ３の表示装置上に表示される週案作成画面の一例を示す図である。
【図１２】担任教師が操作する学習指導支援装置ＰＣ２及び／又は教務主任教師が操作する学習指導支援装置ＰＣ３の表示装置上に表示される週案作成画面の一例を示す図である。
【図１３】担任教師が操作する学習指導支援装置ＰＣ２及び／又は教務主任教師が操作する学習指導支援装置ＰＣ３の表示装置上に表示される週案作成画面の一例を示す図である。
【図１４】図１３の週案作成画面において作成された週案の印刷出力イメージの一例を示す図である。
【図１５】週案作成における表示項目のカスタマイズ指示画面の一例を示す図である。
【図１６】図４の初期メニュー画面において、週案タブを選択入力した際に表示される作成された週案の表示イメージの一例を示す図である。
【図１７】担任教師が操作する学習指導支援装置ＰＣ２及び／又は教務主任教師が操作する学習指導支援装置ＰＣ３の表示装置上に表示される初期メニュー画面において、「通知表の書式の作成・取り込み」が選択される状態の一例を示す図である。
【図１８】図１７において、「標準書式の作成・編集」が選択された場合に表示される通知表書式設定の基本設定画面の一例を示す図である。
【図１９】図１７において、「標準書式の作成・編集」が選択された場合に表示される通知表書式設定の「学習のようす」設定画面の一例を示す図である。
【図２０】図１９の「学習のようす」の評価項目編集画面の一例を示す図である。
【図２１】評価記号編集ウィンドウの一例を示す図である。
【図２２】評価文章編集ウィンドウの一例を示す図である。
【図２３】評定記号編集ウィンドウの一例を示す図である。
【図２４】図１７において、「標準書式の作成・編集」が選択された場合に表示される通知表書式設定の「学校生活のようす」設定画面の一例を示す図である。
【図２５】図２４の「学校生活のようす」の評価項目編集画面の一例を示す図である。
【図２６】作成された通知表の表示書式パターンの選択画面の一例を示す図である。
【図２７】担任教師が操作する学習指導支援装置ＰＣ２及び／又は教務主任教師が操作する学習指導支援装置ＰＣ３の表示装置上に表示される初期メニュー画面において、「単元テスト「単元別入力」」が選択された際に表示される単元テストの得点入力画面の一例を示す図である。
【図２８】テストの得点入力及び集計を経て自動作成される観点別及び単元別成績診断シートの一例を示す図である。
【図２９】担任教師が操作する学習指導支援装置ＰＣ２及び／又は教務主任教師が操作する学習指導支援装置ＰＣ３の表示装置上に表示される初期メニュー画面において、「通知表の作成」が選択された際に表示される通知表への評価入力画面の一例を示す図である。
【図３０】本発明の一実施形態に係る学習指導支援装置のハードウエア構成の一例を示す構成図である。
【発明を実施するための形態】
【００２３】
以下、添付図面を参照しながら、本発明の好適な実施形態について詳細に説明する。なお、本明細書及び図面において、実質的に同一の機能及び構成を有する構成要素については、同一の符号を付することにより重複説明を省略する。
【００２４】
＜本実施形態の概略処理フロー＞
図１は、本発明の一実施形態に係る学習指導支援装置が実行する学習指導支援処理の概略処理フローの非限定的一例を示す。図１において、学習指導支援装置は、外部記憶装置に格納された時間割データ１１、学習指導計画データ１２を参照して、授業計画を作成する（ステップＳ１１）。一例として、この授業計画は、週次で立案され、このため「週案」と称される。
【００２５】
より詳細には、時間割データ１１は、授業が実施される各曜日の各時限（一例として１時限から６時限）のスロットに科目名を記述して構成される。学習指導計画データ１２は、各科目の単元ごとに、学習到達目標と、複数の観点別評価規準を記述して構成される。これら時間割データ１１及び学習指導計画データ１２は、児童への授業を実施する教師が、年度開始の際に本実施形態に係る学習指導支援装置を使用して登録してよい。
【００２６】
図３は、文部科学省が告示する学習指導要領に従って作成される、本実施形態に係る学習指導計画データ１２の非限定的一例を、１年の児童向けの国語の科目についての一部として示す。図３において、例えば、単元名「はる」について、学習到達目標は、「絵や言葉から感じたことや考えたことを進んで話したり聞いたりすることができる。」であり、評価観点「国語への関心・意欲・態度」についての評価規準は、「さし絵と自分の経験を結び付けて、想像したことなどを進んで話そうとしている。」、評価観点「話す・聞く能力」についての評価規準は、「知らせたいことを分かるように話している。」及び「友だちの話を興味を持って聞いている。」、評価観点「読む能力」についての評価規準は、「さし絵から、自分なりに想像を広げながら読んでいる。」及び「場面や時間の展開と叙述を照らし合わせて読んでいる。」、評価観点「言語についての知識・理解・技能」についての評価規準は、「姿勢、口形に注意してはっきりした発音で話している。」、「平仮名をはっきりした発音で正しく読んでいる。」と記述されている。
【００２７】
図１に戻り、ステップＳ１１において、作成される週案は、時間割データ１１を参照することにより得られる週次の各曜日の時間割スロットごとに、学習指導計画データ１２を参照することにより得られる単元名を割り当てることにより作成され、作成された週案は、週案データ１４として外部記憶装置に格納される。
【００２８】
この週案データ１４に記述された週次の各曜日の時間割スロットに割り当てられた単元名に従って、教師は児童に対して授業を実施し、この授業実施による児童の学習到達度を測定するため、学習指導計画データ１２に即して作成されたテスト計画データ１３を参照して、単元修了時、学期末、年度末等に、児童に対して適宜テストを実施する（ステップＳ１２）。
【００２９】
実施されたテストの得点は、児童ごとの学習成績として、教師により、学習指導支援装置に入力され、学習指導支援装置は、この学習成績を集計し、学習成績データ１５として外部記憶装置に格納する（ステップＳ１３）。
【００３０】
この学習成績データ１５を参照することにより、児童ごとの学習成績が分析され（ステップＳ１４）、必要に応じて児童にフィードバックされる。
【００３１】
学期末及び年度末において、集積された児童ごとの学習成績データ１５、児童情報１６を参照し、さらに通知表書式１７から読み出された通知表書式をテンプレートとして、教師が単元ごとの評価を入力することにより、学習指導支援装置は、通知表を作成し、通知表としてプリンタ或いは表示装置等任意の出力装置に出力する（ステップＳ１５）。
【００３２】
児童情報１６は、例えば、児童ごとのレコードを蓄積し、各レコードは、児童の自宅住所、緊急連絡先、家族構成等の家庭情報、及び、特別活動、出欠の記録、行動の記録等の学校生活の様子を示す情報を記録する。
【００３３】
＜本実施形態のネットワーク構成＞
図２は、本発明の実施形態に係る学習指導支援装置を含む小中学校等の教育機関内に構成される構内ネットワーク構成の非限定的一例を示す。本実施形態にかかる学習指導支援装置（システム）は、例えばイーサネット（登録商標）（TM）で構成される構内ＬＡＮ（Ｌｏｃａｌ  Ａｒｅａ  Ｎｅｔｗｏｒｋ）１と、児童に対して授業を実施する担任教師が使用可能な学習指導支援装置ＰＣ２と、教務担当教師が使用可能な学習指導支援装置ＰＣ３と、大容量外部記憶装置を備え構内ＬＡＮ１に接続される装置を制御するサーバ装置４と、プリンタ５とを備える。学習指導支援装置端末２，３、サーバ装置４、及びプリンタ５は、いずれも構内ＬＡＮ１を介して相互接続される。構内ＬＡＮ１に接続される学習指導支援装置端末２，３、サーバ装置４は、ルータ６を介してインターネット７に遠隔接続され、インターネット７を介して外部のＡＳＰ（Ａｐｐｌｉｃａｔｉｏｎ  Ｓｅｒｖｉｃｅ  Ｐｒｏｖｉｄｅ）等が保有する任意の情報資源にアクセスし得る。ルータ６は、インターネット７からのファイアウォールを構成してよい。
【００３４】
なお、図２に示すネットワーク及びハードウエアの構成は一例に過ぎず、例えば、各装置、サーバ及びデータベースとして機能する外部記憶装置を一体としてもよい。
【００３５】
＜本実施形態に係る週案作成処理手順＞
図４ないし図１６は、例えば学習指導支援ＰＣ２に実装される学習指導支援装置が実行する週案作成の処理手順のＧＵＩ（Ｇｒａｐｈｉｃａｌ  Ｕｓｅｒ  Ｉｎｔｅｒｆａｃｅ）の非限定的一例を示す。
【００３６】
図４は、授業を実施する担任教師が操作可能な学習指導支援ＰＣ２及び／又は教務主任が操作する学習指導支援ＰＣ３の表示装置上に表示される初期メニュー画面の一例を示す。図４において、左欄４１には、テストの得点入力、得点集計、成績分析、児童情報登録、通知表・指導要録作成等の教師の学習指導に関する校務を選択するためのタブが、右欄４２には、週次或いは月次の行事予定、週案の参照又は編集を選択するためのタブが、それぞれ表示される。
【００３７】
図４において、作成タブ４３のボタンを押下操作等により選択すると、当該年度の週案が未作成である場合、すなわち年度開始時には、図５に示す学期設定画面に遷移する。図５において、２学期制又は３学期制のいずれかを選択し、各学期の始期及び終期を選択入力した上で、設定ボタンを押下して学期設定を終了する。
【００３８】
学期設定が終了すると、図６に示す時間割設定画面に遷移する。好適には、図６に示す時間割設定画面において学期の設定タブ５１のボタンを押下することによっても学期設定を新規作成或いは編集することができる。図６中央には、横軸を各曜日、縦軸を各時限とするマトリクスが表示され、この時間割マトリクスの各スロットにいずれかの科目を登録することで時間割が設定できる。図６において、時間割マトリクス上のいずれかのスロットを選択した上で、科目の登録タブ５２のボタンを押下すると、図７に示す選択中のスロットに登録すべき科目を選択するウィンドウがオーバーレイ表示される。図７においては、国語、社会、算数、理科、生活、音楽、図工、家庭、体育、総合、道徳、外国語のいずれかが、登録ボタンを押下することにより選択され得るが、「科目名の修正」を選択すると、表示されている科目名を修正することができ、「科目の削除」を選択すると、表示されている科目を削除することができる。好適には、図７において表示される科目をドラッグ操作等により移動することができ、例えば履修単位数の多い科目を科目リストの上方に配置することができる。
【００３９】
図８は、時間割登録作業中の表示画面の一例を示す。図８において、時間割は複数（例えば、１〜５）登録することができ、一例として、学期ごとに異なる時間割を設定することができる。図８においては、１学期（２０１０年４月７日から２０１０年７月２０日まで）の時間割１の時間割マトリクス８１が選択されている。登録された時間割は、時間割データ１１として記憶装置に格納され、週案作成時に学習指導支援装置により参照される。
【００４０】
図９は、図８の時間割登録画面において、標準時数の入力ウィンドウ９１に、年間の標準時数が入力された状態を示す。好適には、設定された時間割は、他の教師に配布するため、任意の共有外部記憶装置や可搬型記憶装置に書き出されてよい。
【００４１】
図１０は、時間割登録作業完了時の表示画面の一例を示す。図１０において、時間割の確定タブ１０１にチェックを入力し、「閉じる」ボタンを押下すると、図１１に示す週案作成画面に遷移する。
【００４２】
図１１を参照して、表示画面には、時間割設定画面で登録した時間割にしたがって、横軸を当該週の各曜日、縦軸を時限とする週案マトリクス内の各スロットに授業実施すべき教科が表示される。好適には、図１１において、あるスロット（図１１においては４月１４日（水）の２時限目）の教科欄をクリックすると、プルダウンの矢印が表示され、このプルダウンの矢印を選択入力すると、時間割の設定で登録された科目名リスト１１１が一覧表示され、予め当該スロットに登録されていた科目（「社会」）に替えて、他の科目（図１１においては「算数」）を選択することができてよい。さらに好適には、時間割の設定で登録された科目以外の科目も当該スロットで授業実施されるべき科目として直接入力され得る。
【００４３】
図１２を参照して、次に、当該スロットの単元欄をクリックすると、プルダウンの矢印が表示され、このプルダウンの矢印を選択入力すると、学習指導支援装置の外部記憶装置に科目ごと予め登録された単元名リスト１２１が一覧表示され、表示されたいずれかの単元名を選択することができる。好適には、予め登録された単元名以外の単元名も当該スロットで授業実施されるべき単元名として直接入力され得る。好適には、図１１及び図１２において、一覧表示されるリスト１１１、１２１の行数は所定行数以内（一例として、5行以内）とし、これを超えて表示されるべき項目名は、スクロールバーを操作することにより選択的に順次表示されてよい。
【００４４】
図１３を参照して、教師が、当該週の週案に従って授業を実施し、授業を実施した後に、予実登録欄１３１内の「実施」にチェックを入力すると、当該週の週時数が累計に加算される。これに替えて「予定」にチェックを入力した場合には、当該週の時数は累計に加算されない。表示画面下欄には、横軸に科目名を、縦軸に週時数、累計、標準時数（年間で授業実施が必要な時数）、総時数、達成率を配置した授業実施の予実管理用マトリクスである時数表１３２が表示される。好適には、図１３に示される週案及び／又は時数表は、印刷ボタン押下等の操作により、適宜印刷され得る。図１４は、印刷された週案１４１及び時数表１４２の一例を示す。
【００４５】
図１３に戻り、「週案の設定」タブ１３３のボタンを押下すると、図１３に示される表示内容をカスタマイズすることができる。図１５において、週案マトリクス上に、「行事」項目、「朝活動」項目を表示するか否かを選択でき、また表示されるべき項目名も変更することができる。
【００４６】
図１６を参照し、図４に示す初期メニュー画面において、週案タブを選択入力すると、作成された週案が表示され得る。好適には、当該週の週案のうち、当日についての登録内容１６１が表示されてよい。
【００４７】
＜本実施形態に係る通知表書式作成処理手順＞
図１７ないし図２６は、例えば学習指導支援ＰＣ２及び／又は学習指導支援装置ＰＣ３に実装される学習指導支援装置が実行する通知表作成の処理手順のＧＵＩ（Ｇｒａｐｈｉｃａｌ  Ｕｓｅｒ  Ｉｎｔｅｒｆａｃｅ）の非限定的一例を示す。
【００４８】
好適には、図１７ないし図２６に示される通知表書式の変更処理は、例えば教務主任教師等の校内の授業実施教師を指導監督する権限を有する教師が、個人認証された後実行可能であり、他方授業実施するその他の担任教師は通知表書式変更処理へのアクセス制限がされてよい。このように構成すれば、同一校内或いは同一学年内で統一した通知表書式をカスタマイズすることができる。一方、図２７ないし図２９に示される通知表作成処理においては、授業実施教師は、自身が担当するクラスの児童についての通知表作成処理実行の権限を付与されてよく、他のクラスの児童についての通知表作成処理へのアクセス制限がされてよい。
【００４９】
図１７は、教務主任が操作する学習指導支援装置ＰＣ３の表示装置上に表示される初期メニュー画面において、「通知表・指導要録」作成タブが選択され、さらに「通知表の書式の作成・取り込み」タブ１７１が選択される状態の一例を示す。好適には、この「通知表の書式の作成・取り込み」タブ１７１は、個人認証された教務主任教師等にのみ選択され得る。
【００５０】
図１７において、「通知表の書式の作成・取り込み」タブ１７１が選択されると、通知表作成ウィザードが開き、「書式の作成・編集」或いは「書式の取り込み」のいずれかの選択を促す。「書式の作成・編集」が選択されると、作成する書式の方式として、「標準書式の作成・選択」或いは「独自書式の作成・編集」のいずれかの選択を促す。「独自書式の作成・編集」が選択されると、新規の通知表書式を作成することができ、この新規の通知表書式を作成するため、外部アプリケーションで作成された書式をインポートすることができる。
【００５１】
「標準書式の作成・編集」が選択されると、通知表書式１７から標準通知表書式が読み出され、図１８に示す通知表の書式設定中の基本設定画面が表示される。図１８において、基本設定として、通知表に記載されるべき学期制が３学期制或いは２学期制のいずれか、通知表の表示形式が学期表示（通知表１通に１学期分の評価や所見などを表示するモード）或いは年間表示（通知表１通に全学期の評価や所見などを表示するモード）のいずれか、５・６年生用の通知表の場合に外国語活動の記録を表示するか否か、家庭からの連絡欄が表示するか否か、校長、担任、保護者の認め印を表示するか否かを選択入力することができる。好適には、図１８で設定された書式に従った通知表レイアウトの出力イメージが、印刷プレビュー１８２として確認のため表示されてよい。
【００５２】
通知表書式の設定が終了し、確定欄１８１にチェックが入力されると、次に図１９に示す通知表の書式設定中の「学習のようす」設定画面が表示される。図１９において、「学習のようす」を「編集する」とのボタンを押下すると、通知表の評価項目の編集画面が表示される。
【００５３】
図２０は、「学習のようす」の評価項目編集画面の一例を示す。図２０において、所定の評価項目のうち、全ての評価項目を出力するか、代替的に選択的にいくつかの評価項目を出力するか、を設定することができる。
【００５４】
図１９に戻り、「評価の表示」欄において、評価の表示を、「◎○△で表示」或いは「ことばで表示」のいずれとするかを選択することができる。この「評価」は、図３に示される科目ごと、かつ好適には単元ごと設定された観点別評価規準のそれぞれに対する学習達成度を示す値として入力される。評価を記号で区別したい場合には、「◎○△で表示」を選択して、「設定」ボタンを押下すると、図２１に示す評価記号編集ウィンドウが表示される。図２１において、評価記号「Ａ」、「Ｂ」、「Ｃ」は、それぞれ、これらと同義の評価を示すシノニム評価記号「◎」、「○」、「△」を入力することにより、シノニム評価記号「◎」、「○」、「△」に置き換えられる。図２１において、さらに、シノニム評価記号「◎」、「○」、「△」のそれぞれを、他の評価記号と区別する説明が記述されてよい。
【００５５】
図１９に戻り、「評価の表示」欄において、評価を文章で区別したい場合には、「ことばで表示」を選択して、「設定」ボタンを押下すると、図２２に示す評価文章編集ウィンドウが表示される。図２２において、評価記号「Ａ」、「Ｂ」、「Ｃ」は、それぞれ、これらと同義の評価を示すシノニム評価文章「よくできる」、「できる」、「もうすこし」を入力することにより、シノニム評価文章「よくできる」、「できる」、「もうすこし」に置き換えられる。図２１及び図２２に示すシノニム評価記号又はシノニム評価文章を記述し、デフォルトの評価記号をより間接的表現であるこれらシノニム評価記号又はシノニム評価文章で置き換えて出力することで、直截な評価を通知することと比較して、児童の学習意欲が削がれるおそれが低減される。
【００５６】
図１９に戻り、「評定の表示」欄において、「評定を表示する」を選択し、「設定」ボタンを押下すると、図２３に示される評定記号編集画面が表示される。この「評定」は、科目ごと付与された複数の「評価」を集計することで得られる当該科目の学習達成度を示す値として入力される。図２３において、評定記号としての「３」、「２」、「１」は、それぞれ、これらと同義の評定を示すシノニム評定記号「◎」、「○」、「△」を入力することにより、シノニム評定記号「◎」、「○」、「△」に置き換えられる。
【００５７】
代替的に、このシノニム評定記号は、「３」、「２」、「１」と同義の評定を示す記号であればあらゆる記号を記述することができ、図２１又は図２２に示したのと同様、「◎」、「○」、「△」などの評定記号や評定文章などより間接的表現を記述してもよい。図２３において、さらに、シノニム評定記号「◎」、「○」、「△」のそれぞれを、他の評定記号と区別する説明が記述されてよい。さらに好適には、図２３において、各学年でどの科目について評定を通知するか、科目ごとに選択され得る。
【００５８】
評定記号編集が終了すると、図２４に示す書式設定画面において、「学校生活のようす」の編集が可能となる。「編集する」ボタンを押下すると、図２５に示す選択画面が表示され、学校生活に関する評価項目のうちどの評価項目について表示するかが選択され得る。図２５においても図２１ないし図２３と同様、学校生活に関する評価記号を任意のシノニム評価記号で置き換えることができる。
【００５９】
図２４に戻り、「特別活動の記録」の表示方法、「出欠の記録」の表示方法を選択することができ、また通知表に記載されるべき項目名称も編集することができる。
【００６０】
図２６を参照して、最後に通知表の表示の書式パターンを選択し、表紙に記載されるべき項目を、例えば「年度」、「通知表の名称」、「学校名」、「学校教育目標」、「学年目標」、「校長名」、「学校の写真」等から選択することができる。好適には、図２６において、設定された表紙の書式がプレビュー表示されてよい。
【００６１】
通知表書式設定処理が終了時、「通知表書式データの配布」を選択することができ、これを選択すると、作成された通知表書式をサーバ４或いは可搬型記録媒体等を介して、授業を実施する学級担任教師に配布可能に、サーバ４或いは可搬型記録媒体等に格納することができる。
【００６２】
＜本実施形態に係るテスト得点入力処理及び通知表作成処理手順＞
図２７は、授業を実施する例えば担任教師が操作する学習指導支援装置ＰＣ２の表示装置上に表示される初期メニュー画面４において、「得点入力」タブが選択され、さらに「単元テスト「単元別入力」が選択された場合に表示される単元テストの得点入力画面の一例を示す。図２７において、「マウス用テンキー」タブのボタンを押下すると、マウス用テンキーウィンドウ２７１がオーバーレイ表示される。このマウス用テンキーウィンドウ２７１内には、選択中の児童の評価観点ごとにテスト得点を入力するためのボタンが配列される。図２７において、好適には、テスト得点入力ボタン２７３は、例えば５点単位など、実施されるテストで出現する得点単位に即して配置されてよい。換言すれば、テスト得点入力ボタン２７３は、前記学力テストの得点分布上出現し得る得点のそれぞれを１つのキーに割り当てた得点入力キーである。このように構成すれば、１つの評価観点について、１つのボタンをクリック等で選択することにより、テスト得点を入力することができ、テスト得点を入力する操作が簡略化すると共に誤った得点入力が有効に防止される。
【００６３】
図２８は、テストの得点入力及び集計を経て自動作成される観点別及び単元別成績診断シートの非限定的一例を示す。単元ごとに、当該児童の到達率、学級平均到達率、学級平均到達率を中央値とする到達率グラフ、学習の様子についての所見が記述されてよい。絶対評価のみでは、クラス内でのテスト得点上の相対順位が把握しかねるため、これを補完すべく学級平均到達率や到達率グラフを併用することで、絶対評価に相対的評価を追加的に通知することができる。
【００６４】
図２９は、授業を実施する例えば学級担任教師が操作する学習指導支援装置ＰＣ２の表示装置上に表示される初期メニュー画面４において、「通知表・指導要録」タブが選択され、さらに「通知表の作成」が選択された場合に表示される通知表作成画面のうち、「学習のようす」の評価及び評定入力画面の一例を示す。図２９において、選択中の児童について付与すべき科目内評価項目ごとの評価と、教科ごとの評定がそれぞれ入力され得る。
【００６５】
＜本実施形態に係る学習指導支援装置のハードウエア構成＞
図３０は、本実施形態に係る各サーバ装置のハードウエア構成の一例を示すブロック図である。図３０に示されるコンピュータ装置１１０である各サーバ装置において、ＣＰＵ１１１は、ＲＯＭ１１４および／またはハードディスクドライブ１１６に格納されたプログラムに従い、ＲＡＭ１１５を一次記憶用ワークメモリとして利用して、システム全体を制御する。さらに、ＣＰＵ１１１は、マウス１１２ａまたはキーボード１１２を介して入力される利用者の指示に従い、ハードディスクドライブ１１６に格納されたプログラムに基づき、本実施形態に係る学習指導支援処理を実行する。ディスプレイインタフェイス１１３には、ＣＲＴやＬＣＤなどのディスプレイが接続され、ＣＰＵ１１１が実行する学習指導支援処理のための入力待ち受け画面、処理経過や処理結果、検索結果などが表示される。リムーバブルメディアドライブ１１７は、主に、リムーバブルメディアからハードディスクドライブ１１６へファイルを書き込んだり、ハードディスクドライブ１１６から読み出したファイルをリムーバブルメディアへ書き込む場合に利用される。リムーバブルメディアとしては、フロッピディスク(ＦＤ)、ＣＤ−ＲＯＭ、ＣＤ−Ｒ、ＣＤ−Ｒ／Ｗ、ＤＶＤ−ＲＯＭ、ＤＶＤ−Ｒ、ＤＶＤ−Ｒ／Ｗ、ＤＶＤ−ＲＡＭやＭＯ、あるいはメモリカード、ＣＦカード、スマートメディア、ＳＤカード、メモリスティックなどが利用可能である。
【００６６】
プリンタインタフェイス１１８には、レーザビームプリンタやインクジェットプリンタなどのプリンタが接続される。ネットワークインタフェイス１１９は、コンピュータ装置をネットワークへ接続するためのインターフェースである。
【００６７】
なお、本実施形態に係る各サーバ装置及びＰＣ装置に対する入力手段は、マウス１１２ａあるいはキーボード１１２に限定されることなく、任意のポインティングデバイス、例えばトラックボール、トラックパッド、タブレットなどを適宜用いることができる。携帯情報端末を本実施形態に係るサーバ装置及びＰＣ装置に接続される入出力装置として用いる場合には、入力部をボタンやモードダイヤル等で構成してもよい。
【００６８】
また、図３０に示した本実施形態に係る各サーバのハードウエア構成は一例に過ぎず、その他の任意のハードウエア構成を用いることができることはいうまでもない。
【００６９】
殊に、本実施形態に係る学習指導支援処理の全部又は一部は、上記コンピュータ端末装置１１０あるいはＰＤＡ等の携帯情報端末装置等によって実現されてもよく、コンピュータ端末装置等とサーバー装置とをＢｌｕｅｔｏｏｔｈ（登録商標）等の無線、あるいはインターネット（ＴＣＰ／ＩＰ）、公共電話網（ＰＳＴＮ）、統合サービス・ディジタル網（ＩＳＤＮ）等の有線通信回線で相互接続した、インターネットあるいは任意の周知のローカル・エリア・ネットワーク（ＬＡＮ）またはワイド・エリア・ネットワーク（ＷＡＮ）からなるネットワークシステムによって学習指導支援処理の一部又は全部が実現されてもよい。
【００７０】
以上のとおり、本実施形態によれば、例えば小中学校等の教育機関で教師が行う、コンピュータを利用した学習指導において、授業計画作成から通知表作成までの一連の校務サイクルを通じ、入力チェックを不要としながら教師自身のデータ入力の誤りを自動的に排除しつつ、データ入力及び管理、出力における効率を向上することが可能となる。
【００７１】
また、学区ごと或いは学校ごと区々である、各児童の学習成績の評価を通知する通知表書式の改変が、簡易な操作かつ僅かな作業負荷で実現される。
【００７２】
本発明の範囲は、図示され記載された例示的な実施形態に限定されるものではなく、本発明が目的とするものと均等な効果をもたらすすべての実施形態をも含み、その要旨を逸脱しない範囲で多様な改良ないし変更が可能である。
【００７３】
さらに、本発明の範囲は、請求項１により画される発明の特徴の組み合わせに限定されるものではなく、すべての開示されたそれぞれの特徴のうち特定の特徴のあらゆる所望する組み合わせによって画されうる。
【符号の説明】
【００７４】
構内ＬＡＮ  １
学習指導支援装置ＰＣ  ２
学習指導支援装置ＰＣ  ３
制御サーバ４
プリンタ  ５
ルータ  ６
インターネット  ７
時間割データ  １１
学習指導計画データ  １２
テスト計画データ  １３
週案データ  １４
学習成績データ  １５
児童情報  １６
通知表書式  １７
通知表  １８
【図１】
0005433495.tif 000002
【図２】
0005433495.tif 000003
【図３】
0005433495.tif 000004
【図４】
0005433495.tif 000005
【図５】
0005433495.tif 000006
【図６】
0005433495.tif 000007
【図７】
0005433495.tif 000008
【図８】
0005433495.tif 000009
【図９】
0005433495.tif 000010
【図１０】
0005433495.tif 000011
【図１１】
0005433495.tif 000012
【図１２】
0005433495.tif 000013
【図１３】
0005433495.tif 000014
【図１４】
0005433495.tif 000015
【図１５】
0005433495.tif 000016
【図１６】
0005433495.tif 000017
【図１７】
0005433495.tif 000018
【図１８】
0005433495.tif 000019
【図１９】
0005433495.tif 000020
【図２０】
0005433495.tif 000021
【図２１】
0005433495.tif 000022
【図２２】
0005433495.tif 000023
【図２３】
0005433495.tif 000024
【図２４】
0005433495.tif 000025
【図２５】
0005433495.tif 000026
【図２６】
0005433495.tif 000027
【図２７】
0005433495.tif 000028
【図２８】
0005433495.tif 000029
【図２９】
0005433495.tif 000030
【図３０】
0005433495.tif 000031